(57)【要約】【課題】記録媒体の残量を確保し得ると共に、一度削除された録画番組データを再視聴可能な状態に戻す機能を有する録画再生装置の提供を目的とする。【解決手段】録画再生装置は、放送番組を録画番組データとして再生可能な状態で記憶部に記憶させることにより、放送番組を録画する放送番組録画部と、予め定められた第１条件に基づき、再生可能な状態の録画番組データを、再生不可能な状態に処理して記憶部に保管させる削除処理部と、予め定められた第２条件に基づき、再生不可能な状態の録画番組データを圧縮する圧縮処理部と、操作入力信号に基づき、圧縮処理部にて圧縮された再生不可能な状態の録画番組データを、再生可能な状態に処理して記憶部に記憶させる復元処理部と、再生可能な状態に処理されかつ圧縮された録画番組データを記憶部から読み込んで再生する録画番組再生部と、を含む。【選択図】図１
2019102957.tif 000002
【特許請求の範囲】
【請求項１】
放送番組を録画および再生する機能を有する録画再生装置であって、
前記放送番組を録画番組データとして再生可能な状態で記憶部に記憶させることにより、前記放送番組を録画する放送番組録画部と、
前記記憶部に関連する予め定められた第１条件に基づき、前記記憶部に記憶された再生可能な状態の前記録画番組データを、再生不可能な状態に処理して前記記憶部に保管させる削除処理部と、
前記記憶部に関連する予め定められた第２条件に基づき、前記記憶部に保管された再生不可能な状態の前記録画番組データを圧縮する圧縮処理部と、
操作入力信号に基づき、前記圧縮処理部にて圧縮されかつ再生不可能な状態の前記録画番組データを、再生可能な状態に処理して前記記憶部に記憶させる復元処理部と、
再生可能な状態に処理されかつ圧縮された前記録画番組データを前記記憶部から読み込んで再生する録画番組再生部と、を備える録画再生装置。
【請求項２】
前記記憶部は、
前記録画番組データを前記録画番組再生部が読み込み不可能な状態で保管する保管部を含み、
前記削除処理部は、
前記記憶部に記憶された再生可能な状態の前記録画番組データを、前記保管部に移すことにより前記録画番組再生部が読み込み不可能な状態に処理し、
前記圧縮処理部は、
前記保管部に保管された読み込み不可能な状態の前記録画番組データを圧縮し、
前記復元処理部は、
前記圧縮処理部にて圧縮されかつ前記保管部に保管された読み込み不可能な状態の前記録画番組データを、前記保管部以外の前記記憶部に移すことにより前記録画番組データを再生可能な状態に処理する請求項１に記載の録画再生装置。
【請求項３】
前記記憶部の記憶残量を検出する記憶残量検出部をさらに備え、
前記記憶部に関連する前記予め定められた第１条件は、前記記憶部の前記記憶残量に応じた条件を含む請求項１または請求項２に記載の録画再生装置。
【請求項４】
前記予め定められた第１条件は、前記記憶残量に応じた前記条件として、前記記憶残量検出部にて検出される前記記憶部の前記記憶残量が予め定められた第１記憶残量よりも少ないか否かを含む請求項３に記載の録画再生装置。
【請求項５】
前記削除処理部は、
前記放送番組録画部により前記記憶部に録画された日時が古い前記録画番組データから順に再生不可能な状態に処理する請求項４に記載の録画再生装置。
【請求項６】
前記予め定められた第２条件は、前記記憶残量検出部にて検出される前記記憶部の前記記憶残量が予め定められた第２記憶残量よりも少ないか否かを含み、
前記予め定められた第２記憶残量は、前記予め定められた第１記憶残量よりも小さい値を有する請求項４または請求項５に記載の録画再生装置。
【請求項７】
前記圧縮処理部は、
前記放送番組録画部により前記記憶部に録画された日時が古い前記録画番組データから順に圧縮する請求項６に記載の録画再生装置。
【請求項８】
前記圧縮処理部は、
前記削除処理部にて再生不可能な状態に処理された日時が古い前記録画番組データから順に圧縮する請求項６に記載の録画再生装置。
【請求項９】
前記記憶部に関連する予め定められた第３条件に基づき、前記圧縮処理部にて圧縮された再生不可能な状態の前記録画番組データを、前記記憶部から消去する消去処理部をさらに備える請求項６から請求項８のいずれか一項に記載の録画再生装置。
【請求項１０】
前記予め定められた第３条件は、前記記憶残量検出部にて検出される前記記憶部の前記記憶残量が予め定められた第３記憶残量よりも少ないか否かを含み、
前記予め定められた第３記憶残量は、前記予め定められた第２記憶残量よりも小さい値を有する請求項９に記載の録画再生装置。
【請求項１１】
前記消去処理部は、
前記圧縮処理部にて圧縮された日時が古い前記録画番組データから順に前記記憶部から消去する請求項１０に記載の録画再生装置。
【請求項１２】
前記記憶部に関連する前記予め定められた第１条件は、前記録画番組データが前記記憶部に記憶されてからの経過時間が、予め定められた第１経過時間を経過したか否かを含む請求項１または請求項２に記載の録画再生装置。
【請求項１３】
前記記憶部に関連する前記予め定められた第２条件は、前記録画番組データが前記削除処理部にて再生不可能な状態に処理されてからの経過時間が、予め定められた第２経過時間を経過したか否かを含む請求項１２に記載の録画再生装置。
【請求項１４】
前記記憶部に関連する予め定められた第３条件に基づき、前記圧縮処理部にて圧縮された再生不可能な状態の前記録画番組データを、前記記憶部から消去する消去処理部をさらに備える請求項１３に記載の録画再生装置。
【請求項１５】
前記記憶部に関連する前記予め定められた第３条件は、前記録画番組データが前記圧縮処理部にて圧縮されてからの経過時間が、予め定められた第３経過時間を経過したか否か含む請求項１４に記載の録画再生装置。
【請求項１６】
請求項１から請求項１５のいずれか一項に記載の録画再生装置と、
前記記憶部に記憶されている前記録画番組データに基づいて出力される映像信号と音声信号とを受け付け、前記映像信号に基づく映像を表示し、前記音声信号に基づく音声を出力する映像音声出力装置と、を備えるテレビジョン受信機。
【発明の詳細な説明】
【技術分野】
【０００１】
本発明は、放送番組を録画および再生する機能を有する録画再生装置およびテレビジョン受信機に関する。
【背景技術】
【０００２】
昨今、ＨＤＤ（Hard Disk Drive）等の記録媒体を内蔵したレコーダ、または、ＨＤＤを内蔵したテレビにおいて、内蔵される記録媒体の容量が年々大きくなっている。一方で、多チャンネルを同時に録画する機能を有するレコーダもしくはテレビが増えてきており、記録媒体の使用容量が増加している。そのため、内蔵される記録媒体の容量が大きくなっているにも関わらず、残量が足りなくなる場合が起こりやすくなっている。
【０００３】
特許文献１には、以下の機能を有する映像音声記録再生装置が提案されている。その映像音声記録再生装置は、記録媒体の残量がある一定量以下になった場合に、一度も再生されていない番組で、かつ、録画した日時から一定期間以上経っている番組を消去してもいいかどうか確認する旨のメッセージを表示する。そして、映像音声記録再生装置は、ユーザーから入力される指示に基づき番組を消去し、記録媒体の残量を確保する。
【先行技術文献】
【特許文献】
【０００４】
【特許文献１】特開２００６−１０７５７１号公報
【発明の概要】
【発明が解決しようとする課題】
【０００５】
しかしながら、特許文献１の映像音声記録再生装置では、必要な番組が誤って消去される可能性がある。その場合、ユーザーは誤って消去された番組を再視聴することができない。
【０００６】
この発明は、上記の問題に鑑みてなされたものであり、記録媒体の残量を確保し得ると共に、一度削除された録画番組データを再視聴可能な状態に戻す機能を有する録画再生装置の提供を目的とする。
【課題を解決するための手段】
【０００７】
本発明に係る録画再生装置は、放送番組を録画および再生する機能を有する録画再生装置である。録画再生装置は、放送番組を録画番組データとして再生可能な状態で記憶部に記憶させることにより、放送番組を録画する放送番組録画部と、記憶部に関連する予め定められた第１条件に基づき、記憶部に記憶された再生可能な状態の録画番組データを、再生不可能な状態に処理して記憶部に保管させる削除処理部と、記憶部に関連する予め定められた第２条件に基づき、記憶部に保管された再生不可能な状態の録画番組データを圧縮する圧縮処理部と、操作入力信号に基づき、圧縮処理部にて圧縮された再生不可能な状態の録画番組データを、再生可能な状態に処理して記憶部に記憶させる復元処理部と、再生可能な状態に処理されかつ圧縮された録画番組データを記憶部から読み込んで再生する録画番組再生部と、を含む。
【発明の効果】
【０００８】
本発明によれば、記録媒体の残量を確保し得ると共に、一度、削除された録画番組データを再視聴可能な状態に戻す機能を有する録画再生装置の提供が可能である。
【０００９】
本発明の目的、特徴、局面、および利点は、以下の詳細な説明と添付図面とによって、より明白になる。
【図面の簡単な説明】
【００１０】
【図１】実施の形態１における録画再生装置およびそれに関連して動作する装置の構成を示すブロック図である。
【図２】実施の形態１における録画再生装置が含む処理回路の構成を示す図である。
【図３】実施の形態１における録画再生装置が含む処理回路の構成を示す図である。
【図４】実施の形態１における録画再生装置の動作の一例を示すフローチャートである。
【図５】実施の形態２における録画再生装置およびテレビジョン受信機の構成を示すブロック図である。
【図６】実施の形態２における映像音声信号および制御信号の流れを模式的に示す図である。
【図７】実施の形態２における録画再生装置の録画および削除動作の一例を示すフローチャートである。
【図８】実施の形態２における録画再生装置の圧縮動作の一例を示すフローチャートである。
【図９】実施の形態２における録画再生装置の圧縮動作の他の一例を示すフローチャートである。
【図１０】実施の形態２における録画再生装置の復元動作の一例を示すフローチャートである。
【図１１】実施の形態２における録画再生装置の消去動作の一例を示すフローチャートである。
【図１２】実施の形態３における録画再生装置およびテレビジョン受信機の構成を示すブロック図である。
【図１３】実施の形態３における録画再生装置の録画および削除動作の一例を示すフローチャートである。
【図１４】実施の形態４における録画再生装置の圧縮動作の一例を示すフローチャートである。
【図１５】実施の形態５における録画再生装置の消去動作の一例を示すフローチャートである。
【発明を実施するための形態】
【００１１】
＜実施の形態１＞
（装置構成）
実施の形態１における録画再生装置について説明する。図１は、実施の形態１における録画再生装置１００およびそれに関連して動作する装置の構成を示すブロック図である。
【００１２】
実施の形態１において、アンテナ３０は、デジタル放送信号を含んだＲＦ（Radio Frequency）信号を受信する。デジタル放送信号は、放送番組を構成する映像信号および音声信号（以下、映像音声信号という。）が含まれている。同軸ケーブル等を介してアンテナ３０に接続されるチューナー４０は、ＲＦ信号から必要な信号を抽出する。映像音声処理装置５０は、チューナー４０から入力する信号を映像音声データに変換する。また、映像音声処理装置５０は、映像音声データに各種信号処理を施した映像音声信号を映像音声出力装置６０に出力する。映像音声出力装置６０は、映像信号に基づく映像を表示し、音声信号に基づく音声を出力する。
【００１３】
録画再生装置１００は、放送番組を録画および再生する機能を有する。録画再生装置１００は、放送番組録画部１１、削除処理部１２、圧縮処理部１３、復元処理部１４、録画番組再生部１５および記憶部２０で構成される。実施の形態１においては、放送番組録画部１１、削除処理部１２、圧縮処理部１３、復元処理部１４および録画番組再生部１５は、制御部１０に含まれる。
【００１４】
記憶部２０は、放送番組を再生可能な状態で記憶することが可能であり、かつ、放送番組を再生不可能な状態で保管することが可能である。ここでは、記憶部２０は、映像音声処理装置５０に接続されており、放送番組を構成する映像音声信号に対応する映像音声データを録画番組データとして記憶または保管する。記憶部２０は、例えば、ＨＤＤ等で構成される。なお、記憶部２０が録画再生装置１００に含まれる例が示されたが、例えば、記憶部２０が外付けＨＤＤ等で構成された場合は、記憶部２０と録画再生装置１００とが別体であってもよい。
【００１５】
放送番組録画部１１は、放送番組を録画番組データとして再生可能な状態で記憶部２０に記憶させることにより、放送番組を録画する。放送番組録画部１１は、映像音声処理装置５０が変換した映像音声データを、録画番組データとして、記憶部２０に記憶させる。この際、放送番組録画部１１は、映像音声データを再生可能な録画番組データとして記憶部２０に記憶させることにより、放送番組を録画する。
【００１６】
削除処理部１２は、記憶部２０に関連する予め定められた第１条件に基づき、記憶部２０に記憶された再生可能な状態の録画番組データを、再生不可能な状態に処理して記憶部２０に保管させる。予め定められた第１条件とは、例えば、記憶部２０の記憶残量に関連する条件である。例えば、予め定められた第１条件は、記憶部２０の記憶残量が予め定められた記憶残量よりも少ない場合である。または、予め定められた第１条件とは、録画番組データが記憶部２０に記憶されてからの経過時間に関する条件である。例えば、予め定められた第１条件は、記憶部２０に記憶されてからの経過時間が予め定められた経過時間を経過した場合である。ただし、上記の記憶部２０に関連する予め定められた第１条件は、一例であって、これらに限られるものではない。
【００１７】
また、削除処理部１２の「削除」とは、削除処理部１２が記憶部２０に記憶されている再生可能な録画番組データを、再生不可能な状態に処理することである。例えば、記憶部２０に録画番組再生部１５が読み込み不可能な特定領域が設けられている場合、削除処理部１２は、録画番組データをその特定領域に移すことにより、再生不可能な状態に処理する。または、例えば、削除処理部１２は、録画番組データに含まれるファイル管理領域の情報を録画番組再生部１５が読み込み不可能な状態に書き換えることにより、再生不可能な状態に処理してもよい。上記の削除処理部１２が行う再生不可能な状態への処理は、一例であって、これらに限られるものではない。
【００１８】
圧縮処理部１３は、記憶部２０に関連する予め定められた第２条件に基づき、記憶部２０に保管された再生不可能な状態の録画番組データを圧縮する。予め定められた第２条件は、例えば、記憶部２０の記憶残量に関連する条件である。予め定められた第２条件は、例えば、記憶部２０の記憶残量が予め定められた記憶残量よりも少ない場合である。または、予め定められた第２条件は、録画番組データが記憶部２０に記憶されてからの経過時間に関する条件である。例えば、予め定められた第２条件は、記憶部２０に記憶されてからの経過時間が予め定められた経過時間を経過した場合であってもよい。上記の記憶部２０に関連する予め定められた第２条件は、一例であって、これらに限られるものではない。
【００１９】
復元処理部１４は、操作入力信号に基づき、圧縮処理部１３にて圧縮されかつ再生不可能な状態の録画番組データを、再生可能な状態に処理して記憶部２０に記憶させる。操作入力信号は、例えば、録画再生装置１００のユーザー等の操作に対応して入力される。復元処理部１４は、例えば、録画番組再生部１５が読み込み不可能な記憶部２０の特定領域に保管されている録画番組データを、その他の記憶部２０の領域に移すことにより、再生可能な状態に処理してもよい。または、例えば、復元処理部１４は、再生不可能な録画番組データに含まれるファイル管理領域の情報を録画番組再生部１５が読み込み可能な状態に書き換えることにより、再生可能な状態に処理してもよい。上記の復元処理部１４が行う再生可能な状態への処理は、一例であって、これらに限られるものではない。
【００２０】
録画番組再生部１５は、再生可能な状態に処理されかつ圧縮された録画番組データを記憶部２０から読み込んで再生する。実施の形態１において、録画番組再生部１５は、記憶部２０から読み込んだ録画番組データを映像音声処理装置５０に出力する。映像音声処理装置５０は、その録画番組データ、つまり映像音声データに各種信号処理を施した映像音声信号を映像音声出力装置６０に出力する。映像音声出力装置６０が映像信号に基づく映像を表示し、音声信号に基づく音声を出力することにより放送番組が再生される。
【００２１】
（処理回路）
図２は録画再生装置１００が含む処理回路９０の構成を示す図である。放送番組録画部１１、削除処理部１２、圧縮処理部１３、復元処理部１４および録画番組再生部１５の各機能は、処理回路９０により実現される。すなわち、処理回路９０は、放送番組録画部１１、削除処理部１２、圧縮処理部１３、復元処理部１４および録画番組再生部１５を含む。
【００２２】
処理回路９０が専用のハードウェアである場合、処理回路９０は、例えば、単一回路、複合回路、プログラム化したプロセッサ、並列プログラム化したプロセッサ、ＡＳＩＣ（Application Specific Integrated Circuit）、ＦＰＧＡ（Field-Programmable Gate Array）、またはこれらを組み合わせた回路等である。放送番組録画部１１、削除処理部１２、圧縮処理部１３、復元処理部１４および録画番組再生部１５の各機能は、複数の処理回路により個別に実現されてもよいし、１つの処理回路によりまとめて実現されてもよい。
【００２３】
図３は録画再生装置１００が含む処理回路の別の構成を示す図である。処理回路は、プロセッサ９１とメモリ９２とを含む。プロセッサ９１がメモリ９２に格納されるプログラムを実行することにより、放送番組録画部１１、削除処理部１２、圧縮処理部１３、復元処理部１４および録画番組再生部１５の各機能が実現される。例えば、プログラムとして記述されたソフトウェアまたはファームウェアがプロセッサ９１により実行されることにより各機能が実現される。すなわち、録画再生装置１００は、プログラムを格納するメモリ９２と、そのプログラムを実行するプロセッサ９１とを含む。
【００２４】
プログラムには、録画再生装置１００が、放送番組を録画番組データとして再生可能な状態で記憶部２０に記憶させることにより、放送番組を録画し、記憶部２０に関連する予め定められた第１条件に基づき、記憶部２０に記憶された再生可能な状態の録画番組データを、再生不可能な状態に処理して記憶部２０に保管させ、記憶部２０に関連する予め定められた第２条件に基づき、記憶部２０に保管された再生不可能な状態の録画番組データを圧縮し、操作入力信号に基づき、圧縮されかつ再生不可能な状態の録画番組データを、再生可能な状態に処理して記憶部２０に記憶させ、再生可能な状態に処理されかつ圧縮された録画番組データを記憶部２０から読み込んで再生する機能が記述されている。また、プログラムは、放送番組録画部１１、削除処理部１２、圧縮処理部１３、復元処理部１４および録画番組再生部１５の手順または方法をコンピュータに実行させるものである。
【００２５】
プロセッサ９１は、例えば、中央処理装置、処理装置、演算装置、マイクロプロセッサ、マイクロコンピュータ、ＤＳＰ（Digital Signal Processor）等である。メモリ９２は、例えば、ＲＡＭ（Random Access Memory）、ＲＯＭ（Read Only Memory）、フラッシュメモリ、ＥＰＲＯＭ（Erasable Programmable Read Only Memory）、ＥＥＰＲＯＭ（Electrically Erasable Programmable Read Only Memory）等の、不揮発性または揮発性の半導体メモリである。または、メモリ９２は、磁気ディスク、フレキシブルディスク、光ディスク、コンパクトディスク、ミニディスク、ＤＶＤ等、今後使用されるあらゆる記憶媒体であってもよい。上記の記憶部２０は、メモリ９２であってもよい。
【００２６】
上述した放送番組録画部１１、削除処理部１２、圧縮処理部１３、復元処理部１４および録画番組再生部１５の各機能は、一部が専用のハードウェアによって実現され、他の一部がソフトウェアまたはファームウェアにより実現されてもよい。このように、処理回路は、ハードウェア、ソフトウェア、ファームウェア、またはこれらの組み合わせによって、上述の各機能を実現する。
【００２７】
（録画再生装置の動作）
録画再生装置１００の動作を説明する。図４は、実施の形態１における録画再生装置１００の動作の一例を示すフローチャートである。
【００２８】
ステップＳ１０にて、放送番組を録画番組データとして再生可能な状態で記憶部２０に記憶させることにより、放送番組を録画する。実施の形態１において、放送番組録画部１１は、アンテナ３０、チューナー４０および映像音声処理装置５０を介して入力する映像音声データを録画番組データとして記憶部２０に記憶させる。
【００２９】
ステップＳ２０にて、記憶部２０に関連する予め定められた第１条件に基づき、記憶部２０に記憶された再生可能な状態の録画番組データを、再生不可能な状態に処理して記憶部２０に保管させる。予め定められた第１条件は、例えば、記憶部２０の記憶残量に関連する条件、または、録画番組データが記憶部２０に記憶されてからの経過時間に関連する条件などである。
【００３０】
ステップＳ３０にて、記憶部２０に関連する予め定められた第２条件に基づき、記憶部２０に保管された再生不可能な状態の録画番組データを圧縮する。予め定められた第２条件は、例えば、記憶部２０の記憶残量に関連する条件、または、録画番組データが記憶部２０に記憶されてからの経過時間に関連する条件などである。
【００３１】
ステップＳ４０にて、操作入力信号に基づき、圧縮処理部１３にて圧縮されかつ再生不可能な状態の録画番組データを再生可能な状態に処理して記憶部２０に記憶させる。操作入力信号は、例えば、録画再生装置１００のユーザー等の操作に対応して入力される。
【００３２】
ステップＳ５０にて、再生可能な状態に処理されかつ圧縮された録画番組データを記憶部２０から読み込んで再生する。実施の形態１において、録画番組再生部１５は、記憶部２０から読み込んだ録画番組データを映像音声処理装置５０に出力する。映像音声処理装置５０は、その録画番組データ、つまり映像音声データに各種信号処理を施した映像音声信号を映像音声出力装置６０に出力する。映像音声出力装置６０が映像信号に基づく映像を表示し、音声信号に基づく音声を出力することにより放送番組が再生される。
【００３３】
（効果）
以上をまとめると、実施の形態１における録画再生装置１００は、放送番組を録画および再生する機能を有する録画再生装置である。録画再生装置１００は、放送番組を録画番組データとして再生可能な状態で記憶部２０に記憶させることにより、放送番組を録画する放送番組録画部１１と、記憶部２０に関連する予め定められた第１条件に基づき、記憶部２０に記憶された再生可能な状態の録画番組データを、再生不可能な状態に処理して記憶部２０に保管させる削除処理部１２と、記憶部２０に関連する予め定められた第２条件に基づき、記憶部２０に保管された再生不可能な状態の録画番組データを圧縮する圧縮処理部１３と、操作入力信号に基づき、圧縮処理部１３にて圧縮された再生不可能な状態の録画番組データを、再生可能な状態に処理して記憶部２０に記憶させる復元処理部１４と、再生可能な状態に処理されかつ圧縮された録画番組データを記憶部２０から読み込んで再生する録画番組再生部１５と、を含む。
【００３４】
このような構成により、削除された録画番組データ、つまり、一度再生不可能な状態に処理された録画番組データは、圧縮された後、再び、再生可能な状態に復元される。録画再生装置１００は、記憶部２０の記憶残量を確保し得ると共に、一度、録画番組データが削除されたとしても、当該録画番組データを再視聴可能な状態に戻すことができる。
【００３５】
＜実施の形態２＞
実施の形態２の録画再生装置およびテレビジョン受信機について説明する。なお、実施の形態１と同様の構成および動作については説明を省略する。図５は、実施の形態２における録画再生装置１０１およびテレビジョン受信機２００の構成を示すブロック図である。
【００３６】
実施の形態２における録画再生装置１０１は、実施の形態１に示された構成に加え、記憶残量検出部１６、消去処理部１７および放送番組視聴部１８をさらに含む。これら記憶残量検出部１６、消去処理部１７および放送番組視聴部１８は、制御部１０に含まれる。また、記憶部２０には保管部２１が設けられている。さらに、録画再生装置１０１は、操作入力部７０、チューナー部４０ａおよび映像音声処理部５０ａを含む。チューナー部４０ａおよび映像音声処理部５０ａは、それぞれ実施の形態１にて示されたチューナー４０および映像音声処理装置５０と同様の機能を有し、ここでは説明を省略する。図６は、実施の形態２における映像音声信号および制御信号の流れを模式的に示す図である。制御部１０は、操作入力部７０、チューナー部４０ａ、映像音声処理部５０ａ、映像音声出力装置６０および記憶部２０との間で制御信号を送受信することにより、以下に示される機能を実現し、録画再生装置１０１またはテレビジョン受信機２００の主な動作を制御する。
【００３７】
保管部２１は、記憶部２０の一部に形成され、削除処理部１２によって再生不可能に処理された録画番組データを一時的に保管する。なお、保管部２１以外の記憶部２０に記憶されている録画番組データは再生可能な状態であるのに対し、保管部２１に保管されている録画番組データは再生不可能な状態である。実施の形態２において、保管部２１は、録画番組再生部１５が録画番組データを読み込み不可能な状態で保管する。一方で、保管部２１とは異なる領域の記憶部２０は、録画番組再生部１５が録画番組データを読み込み可能な状態で記憶する。
【００３８】
記憶残量検出部１６は、記憶部２０の記憶残量を検出する。実施の形態２において、記憶残量検出部１６は、記憶部２０に制御信号を一定間隔で送って、記憶部２０の記憶残量を断続的に検出する。ここで、「記憶残量」とは、記憶部２０の記憶容量のうち、録画可能な容量のことである。
【００３９】
操作入力部７０は、操作入力信号を入力し制御部１０に出力する。操作入力信号は、例えば、リモコン（図示せず）が操作される毎に操作入力部７０に入力される。または、例えば、録画再生装置１０１もしくはテレビジョン受信機２００の本体スイッチ（図示せず）が操作される毎に操作入力部７０に入力される。
【００４０】
放送番組録画部１１は、操作入力部７０から操作入力信号を受け付け、チューナー部４０ａと映像音声処理部５０ａと記憶部２０とを制御し、放送番組を録画する。実施の形態２において、録画される放送番組は、例えば、映像音声出力装置６０に表示されたメニュー画面に従ってユーザーがリモコンまたは本体スイッチを操作することにより設定される。放送番組録画部１１は、設定された録画対象の放送番組に関する録画設定を、操作入力信号として、操作入力部７０から受け付ける。放送番組録画部１１は、例えば、操作入力信号に基づいてチューナー部４０ａと映像音声処理部５０ａとを制御し、映像音声データを録画番組データとして記憶部２０に記憶させる。その際、放送番組録画部１１は、「録画番組データ」を保管部２１とは異なる領域の記憶部２０に記憶させる。放送番組録画部１１は、録画番組データを再生可能な状態で、つまり、録画番組再生部１５が読み込み可能で状態で記憶部に記憶させる。また、放送番組録画部１１は、「録画された日時」と、「圧縮状態に関連する情報」とを録画番組データに関連付けて記憶部２０に記憶させる。「録画された日時」とは、録画番組データが記憶部２０に記憶された日時である。「圧縮状態に関連する情報」とは、圧縮処理部１３が録画番組データの圧縮処理を実施したか否かを示す情報である。放送番組録画部１１が、録画番組データを記憶部２０に記憶させる際、「圧縮状態に関連する情報」は、「圧縮実施なし」である。
【００４１】
削除処理部１２は、記憶部２０に関連する予め定められた第１条件に基づき、記憶部２０に記憶された再生可能な状態の録画番組データを、再生不可能な状態に処理して記憶部２０に保管させる。実施の形態２において、削除処理部１２は、記憶残量検出部１６にて検出される記憶残量が予め定められた第１記憶残量よりも少ない場合に記憶部２０を制御し、記憶部２０に記憶されている録画番組データのうち「録画された日時」が古い録画番組データから順に削除する。例えば、削除処理部１２は、「録画された日時」が最も古い録画番組データから順に削除する。
【００４２】
実施の形態２において、録画番組データを「削除する」とは、削除処理部１２が記憶部２０に記憶されている「録画番組データ」を保管部２１に移すことである。録画番組データが保管部２１に保管されることにより、録画番組再生部１５はその録画番組データを読み込むことが不可能であるため、再生も不可能である。さらに、削除処理部１２は、保管部２１に移された録画番組データに関連付けられて記憶部２０に記憶されていた「録画された日時」および「圧縮状態に関する情報」も保管部２１に移すつまり削除する。さらに、削除処理部１２は、「削除された日時」をその録画番組データに関連付けて保管部２１に保管させる。「削除された日時」とは、録画番組データが再生不可能な状態にされた日時であり、録画番組データが保管部２１に移された日時である。なお、削除対象の録画番組データは、削除処理の前に、例えば、ユーザーによるメニュー画面操作によって選択される。
【００４３】
このように、実施の形態２における記憶部２０に関連する予め定められた第１条件は、記憶残量検出部１６にて検出される記憶残量が予め定められた第１記憶残量よりも少ないか否かである。ここでは、予め定められた第１記憶残量は、例えば記憶部２０の記憶容量の５０％に設定されている。第１記憶残量は、変更可能な値であり、例えば、ユーザーによるメニュー画面操作によって変更可能である。また、予め定められた第１条件は、記憶部２０の記憶残量に応じた条件であればよく、上記に限られるものではない。
【００４４】
圧縮処理部１３は、記憶部２０に関連する予め定められた第２条件に基づき、記憶部２０に保管された再生不可能な状態の録画番組データを圧縮する。実施の形態２において、圧縮処理部１３は、記憶残量検出部１６にて検出される記憶残量が予め定められた第２記憶残量よりも少ない場合に記憶部２０を制御し、保管部２１に保管されているまだ圧縮されていない録画番組データのうち「録画された日時」が古い録画番組データから順に圧縮する。例えば、圧縮処理部１３は、「録画された日時」が最も古い録画番組データから順に圧縮する。
【００４５】
実施の形態２において、録画番組データを「圧縮する」とは、圧縮処理部１３が、予め設定された圧縮率に応じて録画番組データつまり映像音声データのビットレートを低下させることである。圧縮処理部１３は、録画番組データを圧縮することにより、録画番組データの容量を小さくする。例えば、圧縮処理部１３は、非可逆圧縮を行い容量を小さくする。なお、圧縮率は、変更可能な値であり、例えば、ユーザーによるメニュー画面操作によって変更可能である。また、圧縮処理部１３は、録画番組データが「圧縮された日時」を、その録画番組データに関連付けて保管部２１に保管させる。また、圧縮処理部１３は、保管部２１に記憶されている「圧縮状態に関連する情報」を「圧縮実施済み」に変更する。
【００４６】
このように、実施の形態２における記憶部２０に関連する予め定められた第２条件は、記憶残量検出部１６にて検出される記憶残量が予め定められた第２記憶残量よりも少ないか否かである。また、ここでは、第２記憶残量は、上記の第１記憶残量よりも小さい値を有する。ここでは、第２記憶残量は、例えば記憶部２０の記憶容量の３０％に設定されている。第２記憶残量は、変更可能な値であり、例えば、ユーザーによるメニュー画面操作によって変更可能である。
【００４７】
復元処理部１４は、操作入力信号に基づき、圧縮処理部１３にて圧縮されかつ再生不可能な状態の録画番組データを、再生可能な状態に処理して記憶部２０に記憶させる。実施の形態２において、復元処理部１４は、操作入力部７０から操作入力信号を受け付け、保管部２１に保管されている圧縮処理部１３にて圧縮された録画番組データを記憶部２０の元の記憶領域に戻して復元する。例えば、復元処理部１４は、ユーザーがメニュー画面を操作して、記憶部２０に戻す録画番組データを選択した場合に、操作入力部７０を介して入力される操作入力信号に基づき復元する。録画番組データが保管部２１から保管部２１とは異なる領域の記憶部２０に移されることにより、録画番組再生部１５はその録画番組データを、再び、再生することが可能となる。
【００４８】
実施の形態２において、録画番組データを「復元する」とは、復元処理部１４が保管部２１に保管されかつ圧縮された「録画番組データ」を記憶部２０の元の記憶領域に戻すことである。また、「元の記憶領域」とは、例えば記憶部２０に記憶された録画番組データがジャンル別のフォルダに分けて格納されていた場合、記憶部２０に戻される録画番組データが保管部２１に移される直前に格納されていたフォルダのことである。また、復元処理部１４は、復元処理を行った録画番組データに関連付けられた「録画された日時」および「圧縮された日時」も元の記憶領域に戻すつまり復元する。また、復元処理部１４は、「削除された日時」を消去する。なお、録画番組再生部１５は、圧縮された録画番組データだけでなく、圧縮されていない録画番組データを記憶部２０の元の記憶領域に戻す機能を有していてもよい。
【００４９】
録画番組再生部１５は、再生可能な状態に処理されかつ圧縮された録画番組データを記憶部２０から読み込んで再生する。実施の形態２において、録画番組再生部１５は、操作入力部７０から操作入力信号を受け付け、映像音声処理部５０ａと記憶部２０と映像音声出力装置６０を制御し、記憶部２０に記憶されている録画番組データを再生させる。つまり、放送番組再生部は、ユーザーにより選択された録画番組データを記憶部２０から読み出し、映像音声処理部５０ａに信号処理させ、映像音声出力装置６０に出力させる。例えば、録画番組再生部１５は、ユーザーがメニュー画面を操作して、再生する録画番組を選択した場合に、操作入力部７０から入力される操作入力信号に基づき再生するための処理を行う。なお、録画番組再生部１５は、圧縮されていない録画番組データを記憶部２０から読み込んで再生する機能も有していてもよい。
【００５０】
消去処理部１７は、記憶部２０に関連する予め定められた第３条件に基づき、圧縮処理部１３にて圧縮された再生不可能な状態の録画番組データを、記憶部２０から消去する。実施の形態２においては、消去処理部１７は、記憶残量検出部１６にて検出される記憶残量が予め定められた第３記憶残量よりも少ない場合に記憶部２０を制御し、保管部２１に保管されている録画番組データのうち「圧縮された日時」が古い録画番組データから順に消去する、例えば、消去処理部１７は、「圧縮された日時」が最も古い録画番組から順に消去する。
【００５１】
実施の形態２において、録画番組データを「消去する」とは、消去処理部１７が「録画番組データ」つまり映像音声データと「録画された日時」と「削除された日時」と「圧縮された日時」と「圧縮状態に関連する情報」とを保管部２１から消去することである。
【００５２】
このように、実施の形態２における記憶部２０に関連する予め定められた第３条件は、記憶残量検出部１６にて検出される記憶残量が予め定められた第３記憶残量よりも少ないか否かである。また、ここでは、第３記憶残量は、上記の第２記憶残量よりも小さい値を有する。第３記憶残量は、例えば記憶部２０の記憶容量の１０％に設定されている。第３記憶残量は、変更可能な値であり、例えば、ユーザーによるメニュー画面操作によって変更可能である。
【００５３】
放送番組視聴部１８は、操作入力部７０から操作入力信号を受け付け、チューナー部４０ａと映像音声処理部５０ａと映像音声出力装置６０とを制御し、映像音声出力装置６０に、放送番組の映像を表示させおよび音声を出力させる。例えば、放送番組視聴部１８は、ユーザーがリモコンまたは本体スイッチを操作して、ユーザーが視聴したい放送番組のチャンネルが選択された場合に、操作入力部７０から入力される操作入力信号に基づき上記の制御を行う。
【００５４】
テレビジョン受信機２００は、録画再生装置１０１および映像音声出力装置６０で構成される。映像音声出力装置６０は、記憶部２０に記憶されている録画番組データに基づいて、映像音声処理部５０ａから出力される映像音声信号を受け付け、その映像音声信号に基づく映像を表示し、音声を出力する。また、映像音声出力装置６０は、記憶部２０に記憶されている録画番組データに限らず、アンテナ３０とチューナー部４０ａと映像音声処理部５０ａとを介して入力する映像音声信号に基づく、映像を表示し、音声を出力することも可能である。
【００５５】
（録画再生装置の前提動作）
録画再生装置１０１の動作を説明する前に、録画再生装置１０１の録画および再生機能を説明する。
【００５６】
放送番組が録画されることなくテレビジョン受信機２００の映像音声出力装置６０に出力される場合、つまり録画再生装置１０１およびテレビジョン受信機２００の視聴動作を説明する。ユーザーが、リモコンまたは本体スイッチを操作することにより、ユーザーが視聴を望む放送番組のチャンネルが選択される。操作入力部７０は、リモコンまたは本体スイッチからユーザーの操作に対応する操作入力信号を入力する。放送番組視聴部１８は、操作入力信号に基づきチューナー部４０ａを制御する。チューナー部４０ａは、アンテナ３０で受信されたデジタル放送信号を含んだＲＦ信号から必要な信号を抽出し、映像音声処理部５０ａに出力する。映像音声処理部５０ａは、入力された信号を映像音声データに変換し、各種信号処理を施す。映像音声処理部５０ａは、映像音声信号を映像音声出力装置６０に出力する。映像音声出力装置６０は、映像音声信号に基づき、映像を表示し、音声を出力する。
【００５７】
次に、録画再生装置１０１およびテレビジョン受信機２００の録画動作を説明する。ユーザーが、メニュー画面に従ってリモコンまたは本体スイッチを操作することにより、ユーザーが録画を望む放送番組の録画設定が行われる。操作入力部７０は、リモコンまたは本体スイッチからユーザーの操作に対応する操作入力信号を入力する。放送番組録画部１１は、操作入力信号に基づきチューナー部４０ａを制御する。チューナー部４０ａは、アンテナ３０で受信されたデジタル放送信号を含んだＲＦ信号から必要な信号を抽出し、映像音声処理部５０ａに出力する。映像音声処理部５０ａに入力された信号は映像音声データに変換され、録画番組データとして記憶部２０に記憶される。
【００５８】
次に、録画再生装置１０１およびテレビジョン受信機２００の再生動作を説明する。ユーザーが、メニュー画面に従ってリモコンまたは本体スイッチを操作することにより、ユーザーが再生を望む放送番組の録画番組データが選択される。操作入力部７０は、リモコンまたは本体スイッチからユーザーの操作に対応する操作入力信号を入力する。録画番組再生部１５は、操作入力信号に基づき、記憶部２０から選択された録画番組データ、つまり映像音声データを映像音声処理部５０ａに出力する。映像音声処理部５０ａは、入力された映像音声データに各種信号処理を施し、映像音声信号を映像音声出力装置６０に出力する。映像音声出力装置６０は、その映像音声信号に基づき、映像を表示し、音声を出力する。
【００５９】
（録画再生装置の動作）
次に、実施の形態２における録画再生装置１０１およびテレビジョン受信機２００の動作について説明する。
【００６０】
図７は、実施の形態２における録画再生装置１０１の録画および削除動作の一例を示すフローチャートである。
【００６１】
ステップＳＡ１０にて、放送番組録画部１１は、放送番組を録画番組データとして再生可能な状態で記憶部２０に記憶させることにより、放送番組を録画する。詳細な録画動作は上記と同様である。ただし、ステップＳＡ１０において、放送番組録画部１１は、「録画番組データ」を保管部２１とは異なる領域の記憶部２０に記憶させる。つまり、録画番組データは、再生可能な状態で記憶部２０に記憶される。また、放送番組録画部１１は、「録画された日時」および「圧縮状態に関連する情報」も録画番組データに関連付けて記憶部２０に記憶させる。
【００６２】
ステップＳＡ２０にて、記憶残量検出部１６は、記憶部２０の記憶残量を取得する。
【００６３】
ステップＳＡ２１にて、削除処理部１２は、記憶残量検出部１６にて検出される記憶部２０の記憶残量が予め定められた第１記憶残量よりも少ないか否かを判定する。記憶残量が第１記憶残量よりも少ない場合、ステップＳＡ２２が実行される。記憶残量が第１記憶残量以上である場合、削除動作は終了する。
【００６４】
ステップＳＡ２２にて、削除処理部１２は、記憶部２０に記憶されている録画番組データのうち「録画された日時」が古い録画番組データから順に保管部２１に移す。ここでは、削除処理部１２は、「録画された日時」が最も古い録画番組データを保管部２１に移す。すなわち、削除処理部１２は、記憶部２０に記憶された再生可能な状態の録画番組データを、保管部２１に移すことにより再生不可能な状態に処理する。この際、削除処理部１２は、保管部２１に移された録画番組データに関連付けられていた「録画された日時」および「圧縮状態に関する情報」も保管部２１に移す。そして、削除処理部１２は、録画番組データが保管部２１に移された日時を、録画番組データが「削除された日時」として、その録画番組データに関連付けて保管部２１に保管させる。その後、再び、ステップＳＡ２０が実行される。
【００６５】
図８は、実施の形態２における録画再生装置１０１の圧縮動作の一例を示すフローチャートである。
【００６６】
ステップＳＡ３０にて、記憶残量検出部１６は、記憶部２０の記憶残量を取得する。
【００６７】
ステップＳＡ３１にて、圧縮処理部１３は、記憶残量検出部１６にて検出される記憶残量が予め定められた第２記憶残量よりも少ないか否かを判定する。上述のように、第２記憶残量は第１記憶残量よりも小さな値に設定されている。記憶残量が第２記憶残量よりも少ない場合、ステップＳＡ３２が実行される。記憶残量が第２記憶残量以上である場合、圧縮動作は終了する。
【００６８】
ステップＳＡ３２にて、圧縮処理部１３は、保管部２１に圧縮されていない録画番組データが保管されているか否かを判定する。圧縮されていない録画番組データが保管されている場合は、ステップＳＡ３３が実行され、圧縮されていない録画番組データが保管されていない場合は、圧縮動作は終了する。この判定において、圧縮処理部１３は、圧縮されていない録画番組データがあるか否かは、録画番組データに関連付けられた「圧縮状態に関連する情報」に含まれる「圧縮実施なし」または「圧縮実施済み」の情報を用いて判定する。
【００６９】
ステップＳＡ３３にて、圧縮処理部１３は、保管部２１に保管されておりかつまだ圧縮されていない録画番組データのうち「録画された日時」が古い録画番組データから順に圧縮する。ここでは、圧縮処理部１３は、「録画された日時」が最も古い録画番組データを圧縮する。圧縮処理部１３は、録画番組データが「圧縮された日時」を、その録画番組データに関連付けて保管部２１に保管させる。また、圧縮処理部１３は、録画番組データに関連付けられていた「圧縮状態に関連する情報」を「圧縮実施済み」に変更する。その後、再びＳＡ３０が実行される。
【００７０】
図９は、実施の形態２における録画再生装置１０１の圧縮動作の他の一例を示すフローチャートである。
【００７１】
ステップＳＡ３０からステップＳＡ３２までは図８に示される圧縮動作と同様である。図９に示される圧縮動作において、圧縮されていない録画番組データが保管されている場合は、ステップＳＡ３４が実行される。
【００７２】
ステップＳＡ３４にて、圧縮処理部１３は、保管部２１に保管されているまだ圧縮されていない録画番組データのうち「削除された日時」が古い録画番組データから順に圧縮する。ここでは、圧縮処理部１３は、「削除された日時」が最も古い録画番組データを圧縮する。
【００７３】
図１０は、実施の形態２における録画再生装置１０１の復元動作の一例を示すフローチャートである。
【００７４】
ステップＳＡ４０にて、復元処理部１４は、録画番組データの復元を指示する操作入力信号を受け付けたか否かを判定する。操作入力信号を受け付けた場合、ステップＳＡ４１が実行され、操作入力信号を受け付けていない場合、復元動作は終了する。復元を指示する操作入力信号は、ユーザーがメニュー画面を操作して、保管部２１に保管されている録画番組データのうち再視聴したい録画番組データを選択することにより、操作入力部７０に入力される。
【００７５】
ステップＳＡ４１にて、復元処理部１４は、保管部２１に保管されている圧縮された録画番組データを保管部２１以外の記憶部２０に移す。すなわち、操作入力信号に基づき、保管部２１に保管されている再生不可能な状態の録画番組データを、保管部２１以外の記憶部２０に移すことにより、再生可能な状態に処理する。ここでは、復元処理部１４は、選択された録画番組データを記憶部２０の元の記憶領域へ移す。また、復元処理部１４は、復元処理を行った録画番組データに関連付けられた「録画された日時」および「圧縮された日時」も元の記憶領域に戻す。また、復元処理部１４は、「削除された日時」を消去する。
【００７６】
上記の復元処理によって、一旦削除された録画番組データを、再度、再生可能な録画番組データに戻すことができる。
【００７７】
図１１は、実施の形態２における録画再生装置１０１の消去動作の一例を示すフローチャートである。
【００７８】
ステップＳＡ６０にて、記憶残量検出部１６は、記憶部２０の記憶残量を取得する。
【００７９】
ステップＳＡ６１にて、消去処理部１７は、記憶残量検出部１６にて検出される記憶残量が予め定められた第３記憶残量よりも少ないか否かを判定する。上述のように、第３記憶残量は第２記憶残量よりも小さな値に設定されている。記憶残量が第３記憶残量よりも少ない場合、ステップＳＡ６２が実行される。記憶残量が第３記憶残量以上である場合、消去動作は終了する。
【００８０】
ステップＳＡ６２にて、消去処理部１７は、保管部２１に圧縮された録画番組データが保管されているか否かを判定する。圧縮された録画番組データが保管されている場合は、ステップＳＡ６３が実行され、圧縮された録画番組データが保管されていない場合は、消去動作は終了する。この判定において、消去処理部１７は、圧縮された録画番組データがあるか否かは、録画番組データに関連付けられた「圧縮状態に関連する情報」に含まれる「圧縮実施なし」または「圧縮実施済み」の情報を用いて判定する。
【００８１】
ステップＳＡ６３にて、消去処理部１７は、保管部２１に保管されている圧縮された録画番組データのうち「圧縮された日時」が古い録画番組データから順に消去する。ここでは、消去処理部１７は、「圧縮された日時」が最も古い録画番組データを保管部２１から消去する。
【００８２】
録画再生装置１０１は、以上の削除動作、圧縮動作および消去動作を順に行ってもよい。同様に、録画再生装置１０１は、以上の削除動作、圧縮動作、復元動作および再生動作を順に行ってもよい。
【００８３】
（効果）
以上をまとめると、実施の形態２における録画再生装置１０１の記憶部２０は、録画番組データを録画番組再生部１５が読み込み不可能な状態で保管する保管部２１を含む。削除処理部１２は、記憶部２０に記憶された再生可能な状態の録画番組データを、保管部２１に移すことにより録画番組再生部１５が読み込み不可能な状態に処理する。圧縮処理部１３は、保管部２１に保管された読み込み不可能な状態の録画番組データを圧縮する。復元処理部１４は、圧縮処理部１３にて圧縮されかつ保管部２１に保管された読み込み不可能な状態の録画番組データを、保管部２１以外の記憶部２０に移すことにより録画番組データを再生可能な状態に処理する。
【００８４】
このような構成により、録画再生装置１０１は、記憶部２０の記憶残量を確保する。さらに、一度、録画番組データが削除されたとしても、録画再生装置１０１は当該録画番組データを再視聴可能な状態に戻すことができる。
【００８５】
また、実施の形態２における録画再生装置１０１は、記憶部２０の記憶残量を検出する記憶残量検出部１６をさらに含む。記憶部２０に関連する予め定められた第１条件は、記憶部２０の記憶残量に応じた条件を含む。
【００８６】
このような構成により、録画再生装置１０１は、記憶部２０の記憶残量に応じて、自動的に録画番組データを削除して圧縮し、記憶部２０の記憶残量を確保することができる。
【００８７】
また、実施の形態２における予め定められた第１条件は、記憶残量に応じた条件として、記憶残量検出部１６にて検出される記憶部２０の記憶残量が予め定められた第１記憶残量よりも少ないか否かを含む。
【００８８】
このような構成により、録画再生装置１０１は、記憶部２０の記憶残量が予め定められた第１記憶残量よりも少なくなった場合に、自動的に録画番組データを削除することができる。
【００８９】
また、実施の形態２における録画再生装置１０１の削除処理部１２は、放送番組録画部１１により記憶部２０に録画された日時が古い録画番組データから順に再生不可能な状態に処理する。
【００９０】
このような構成により、録画再生装置１０１は、今後視聴される可能性の低い録画番組データから優先して削除することができる。その結果、ユーザーの利便性も向上する。
【００９１】
また、実施の形態２における予め定められた第２条件は、記憶残量検出部１６にて検出される記憶部２０の記憶残量が予め定められた第２記憶残量よりも少ないか否かを含む。予め定められた第２記憶残量は、予め定められた第１記憶残量よりも小さい値を有する。
【００９２】
このような構成により、録画再生装置１０１は、記憶部２０の記憶残量が予め定められた第２記憶残量よりも少なくなった場合に、自動的に録画番組データを圧縮することができる。
【００９３】
また、実施の形態２における録画再生装置１０１の圧縮処理部１３は、放送番組録画部１１により記憶部２０に録画された日時が古い録画番組データから順に圧縮する。
【００９４】
このような構成により、録画再生装置１０１は、今後視聴される可能性の低い録画番組データから優先して圧縮することができる。その結果、ユーザーの利便性も向上する。
【００９５】
また、実施の形態２における録画再生装置１０１の圧縮処理部１３は、削除処理部１２にて再生不可能な状態に処理された日時が古い録画番組データから順に圧縮する。
【００９６】
このような構成により、録画再生装置１０１は、今後視聴される可能性の低い録画番組データから優先して圧縮することができる。その結果、ユーザーの利便性も向上する。
【００９７】
また、実施の形態２における録画再生装置１０１は、記憶部２０に関連する予め定められた第３条件に基づき、圧縮処理部１３にて圧縮された再生不可能な状態の録画番組データを、記憶部２０から消去する消去処理部１７をさらに含む。
【００９８】
このような構成により、録画再生装置１０１は、記憶部２０の記憶残量に応じて、録画番組データを記憶部２０から完全に消去でき、記憶部２０の記憶残量のさらなる確保に貢献することができる。
【００９９】
また、実施の形態２における予め定められた第３条件は、記憶残量検出部１６にて検出される記憶部２０の記憶残量が予め定められた第３記憶残量よりも少ないか否かを含む。予め定められた第３記憶残量は、予め定められた第２記憶残量よりも小さい値を有する。
【０１００】
このような構成により、録画再生装置１０１は、記憶部２０の記憶残量が予め定められた第３記憶残量よりも少なくなった場合に、自動的に録画番組データを消去することができる。
【０１０１】
また、実施の形態２における録画再生装置１０１の消去処理部１７は、圧縮処理部１３にて圧縮された日時が古い録画番組データから順に記憶部２０から消去する。
【０１０２】
このような構成により、録画再生装置１０１は、今後視聴される可能性の低い録画番組データから優先して消去することができる。その結果、ユーザーの利便性も向上する。
【０１０３】
また、実施の形態２におけるテレビジョン受信機２００は、録画再生装置１０１と、記憶部２０に記憶されている録画番組データに基づいて出力される映像信号と音声信号とを受け付け、映像信号に基づく映像を表示し、音声信号に基づく音声を出力する映像音声出力装置６０と、を含む。
【０１０４】
このような構成により、テレビジョン受信機２００は、録画再生装置１０１の記憶部２０の記憶残量を確保し得ると共に、必要な録画番組データが削除されたとしても当該録画番組データを再視聴可能な状態に戻し、録画された放送番組を再生することができる。
【０１０５】
＜実施の形態３＞
実施の形態３における録画再生装置およびテレビジョン受信機を説明する。なお、実施の形態１または２と同様の構成および動作については説明を省略する。
【０１０６】
図１２は、実施の形態３における録画再生装置１０２およびテレビジョン受信機２００の構成を示すブロック図である。図１２において、図４に示される実施の形態２の構成と同様の機能を有する構成に対しては、同一の符号を付している。
【０１０７】
実施の形態３における録画再生装置１０２は、実施の形態２における録画再生装置１０２とは異なり、制御部１０に記憶残量検出部１６を含んでいない。実施の形態３における削除処理部１２は、放送番組の録画後の経過時間に基づいて録画番組データを削除する。削除処理部１２が録画番組データを削除する際の予め定められた第１条件は、録画番組データが記憶部２０に記憶されてからの経過時間が、予め定められた第１経過時間を経過したか否かである。つまり、削除処理部１２は、録画番組データが録画されてからの経過時間が、予め定められた第１経過時間を経過した場合、その録画番組データを保管部２１に移す。それにより、削除処理部１２は、記憶部２０に記憶された再生可能な状態の録画番組データを、再生不可能な状態に処理する。
【０１０８】
次に、実施の形態３における録画再生装置１０２の削除動作について説明する。図１３は、実施の形態３における録画再生装置１０２の録画および削除動作の一例を示すフローチャートである。
【０１０９】
ステップＳＢ１０にて、放送番組録画部１１は、放送番組を録画番組データとして再生可能な状態で記憶部２０に記憶させることにより、放送番組を録画する。このステップＳＢ１０は、図７に示される実施の形態２におけるステップＳＡ１０と同様である。
【０１１０】
ステップＳＢ２１にて、削除処理部１２は、録画番組データが記憶部２０に記憶されてからの経過時間が、予め定められた第１経過時間を経過したか否かを判定する。録画されてからの経過時間は、「録画された日時」に基づき算出される。第１経過時間が経過している場合、ステップＳＢ２２が実行される。第１経過時間が経過していない場合、再び、ステップＳＢ２１が実行される。
【０１１１】
ステップＳＢ２２にて、削除処理部１２は、第１経過時間が経過した録画番組データを保管部２１に移す。つまり、削除処理部１２は、記憶部２０に記憶されている第１経過時間が経過した録画番組データを削除する。そして、削除動作は終了する。なお、第１経過時間は、変更可能な値であり、例えば、ユーザーによるメニュー画面操作によって変更可能である。このように、実施の形態３においては、削除処理部１２は、録画番組データが録画されてから一定時間経過後に、その録画番組データの削除動作を行う。
【０１１２】
（効果）
以上をまとめると、実施の形態３における記憶部２０に関連する予め定められた第１条件は、録画番組データが記憶部２０に記憶されてからの経過時間が、予め定められた第１経過時間を経過したか否かを含む。
【０１１３】
このような構成により、削除された録画番組データ、つまり、一度再生不可能な状態に処理された録画番組データは、圧縮された後、再び、再生可能な状態に復元される。録画再生装置１０２は、記憶部２０の記憶残量を確保し得ると共に、一度、録画番組データが削除されたとしても、当該録画番組データを再視聴可能な状態に戻すことができる。録画再生装置１０２は、記憶部２０の記憶残量に関係なく、今後視聴される可能性の低い録画番組データから優先して自動的に削除することができる。その結果、ユーザーの利便性も向上する。
【０１１４】
＜実施の形態４＞
実施の形態４における録画再生装置１０２およびテレビジョン受信機２００を説明する。なお、実施の形態３と同様の構成および動作については説明を省略する。
【０１１５】
実施の形態４における録画再生装置１０２およびテレビジョン受信機２００の構成は、図１２に示された実施の形態３と同様である。実施の形態４における録画再生装置１０２は記憶残量検出部１６を含んでおらず、圧縮処理部１３は、録画番組データの削除後の経過時間に基づいて録画番組データを圧縮する。圧縮処理部１３が、録画番組データを圧縮する際の予め定められた第２条件は、録画番組データが削除処理部１２にて再生不可能な状態に処理されてからの経過時間が、予め定められた第２経過時間を経過したか否かである。つまり、圧縮処理部１３は、録画番組データが削除処理部１２にて保管部２１に移されることにより削除されてからの経過時間が、予め定められた第２経過時間を経過する場合、保管部２１に保管された録画番組データを圧縮する。
【０１１６】
次に、実施の形態４における録画再生装置１０２の圧縮動作について説明する。図１４は、実施の形態４における録画再生装置１０２の圧縮動作の一例を示すフローチャートである。
【０１１７】
ステップＳＢ３１にて、圧縮処理部１３は、録画番組データが削除されてからの経過時間が、予め定められた第２経過時間を経過したか否かを判定する。録画番組データが削除されてからの経過時間は、「削除された日時」に基づき算出される。第２経過時間が経過している場合、ステップＳＢ３３が実行される。第２経過時間が経過していない場合、再び、ステップＳＢ３１が実行される。
【０１１８】
ステップＳＢ３３にて、圧縮処理部１３は、第２経過時間が経過した録画番組データを圧縮する。そして、圧縮動作は終了する。なお、第２経過時間は、変更可能な値であり、例えば、ユーザーによるメニュー画面操作によって変更可能である。このように、実施の形態４においては、圧縮処理部１３は、録画番組データが削除されてから一定時間経過後に、その録画番組データの圧縮動作を行う。
【０１１９】
（効果）
以上をまとめると、実施の形態４における記憶部２０に関連する予め定められた第２条件は、録画番組データが削除処理部１２にて再生不可能な状態に処理されてからの経過時間が、予め定められた第２経過時間を経過したか否かを含む。
【０１２０】
このような構成により、録画再生装置１０２は、記憶部２０の記憶残量に関係なく、今後視聴される可能性の低い録画番組データから優先して自動的に圧縮することができる。その結果、ユーザーの利便性も向上する。
【０１２１】
＜実施の形態５＞
実施の形態５における録画再生装置１０２およびテレビジョン受信機２００を説明する。なお、実施の形態３または４と同様の構成および動作については説明を省略する。
【０１２２】
実施の形態５における録画再生装置１０２およびテレビジョン受信機２００の構成は、図１２に示された実施の形態３と同様である。実施の形態５における録画再生装置１０２は記憶残量検出部１６を含んでおらず、消去処理部１７は、録画番組データの圧縮後の経過時間に基づいて録画番組データを消去する。消去処理部１７が、録画番組データを消去する際の予め定められた第３条件は、録画番組データが圧縮処理部１３にて圧縮されてからの経過時間が、予め定められた第３経過時間を経過したか否かである。つまり、消去処理部１７は、録画番組データが圧縮処理部１３にて圧縮されてからの経過時間が、予め定められた第３経過時間を経過する場合、保管部２１に保管された録画番組データを消去する。
【０１２３】
次に、実施の形態５における録画再生装置１０２の消去動作について説明する。図１５は、実施の形態５における録画再生装置１０２の消去動作の一例を示すフローチャートである。
【０１２４】
ステップＳＢ６１にて、消去処理部１７は、圧縮された録画番組データが保管部２１に保管されているか否かを判断する。消去処理部１７は、「圧縮状態に関連する情報」を用いて判定する。保管されていれば、ステップＳＢ６２が実行される。保管されていなければ消去動作を終了する。
【０１２５】
ステップＳＢ６２にて、消去処理部１７は、録画番組データが圧縮されてからの経過時間が、予め定められた第３経過時間を経過したか否かを判定する。圧縮されてからの経過時間は、「圧縮された日時」に基づき算出される。第３経過時間が経過している場合、ステップＳＢ６３が実行される。第３経過時間が経過していない場合、再び、ステップＳＢ６１が実行される。
【０１２６】
ステップＳＢ６２にて、消去処理部１７は、第３経過時間が経過した録画番組データを保管部２１から消去する。そして、消去動作は終了する。なお、第３経過時間は、変更可能な値であり、例えば、ユーザーによるメニュー画面操作によって変更可能である。このように、実施の形態５においては、消去処理部１７は、録画番組データが圧縮されてから一定時間経過後に、その録画番組データの消去動作を行う。
【０１２７】
（効果）
以上をまとめると、実施の形態５における録画再生装置１０２は、記憶部２０に関連する予め定められた第３条件に基づき、圧縮処理部１３にて圧縮された再生不可能な状態の録画番組データを、記憶部２０から消去する消去処理部１７をさらに含む。
【０１２８】
このような構成により、録画再生装置１０２は、記憶部２０の記憶残量に関係なく、今後視聴される可能性の低い録画番組データを記憶部２０から完全に消去でき、記憶部２０の記憶残量のさらなる確保に貢献することができる。
【０１２９】
また、実施の形態５における記憶部２０に関連する予め定められた第３条件は、録画番組データが圧縮処理部１３にて圧縮されてからの経過時間が、予め定められた第３経過時間を経過したか否かを含む。
【０１３０】
このような構成により、録画再生装置１０２は、記憶部２０の記憶残量に関係なく、今後視聴される可能性の低い録画番組データから優先して自動的に消去することができる。その結果、ユーザーの利便性も向上する。
【０１３１】
なお、上記の実施の形態２から５においては、録画再生装置がテレビジョン受信機に含まれる例が示されたが、録画再生装置とテレビジョン受信機とが別体であっても上記の各効果を奏する。
【０１３２】
なお、本発明は、その発明の範囲内において、各実施の形態を自由に組み合わせたり、各実施の形態を適宜、変形、省略したりすることが可能である。本発明は詳細に説明されたが、上記した説明は、すべての態様において、例示であって、本発明がそれに限定されるものではない。例示されていない無数の変形例が、本発明の範囲から外れることなく想定され得るものと解される。
【符号の説明】
【０１３３】
１１  放送番組録画部、１２  削除処理部、１３  圧縮処理部、１４  復元処理部、１５  録画番組再生部、１６  記憶残量検出部、１７  消去処理部、２０  記憶部、２１  保管部、１００  録画再生装置、２００  テレビジョン受信機。
【図１】
2019102957.tif 000003
【図２】
2019102957.tif 000004
【図３】
2019102957.tif 000005
【図４】
2019102957.tif 000006
【図５】
2019102957.tif 000007
【図６】
2019102957.tif 000008
【図７】
2019102957.tif 000009
【図８】
2019102957.tif 000010
【図９】
2019102957.tif 000011
【図１０】
2019102957.tif 000012
【図１１】
2019102957.tif 000013
【図１２】
2019102957.tif 000014
【図１３】
2019102957.tif 000015
【図１４】
2019102957.tif 000016
【図１５】
2019102957.tif 000017